(57)【特許請求の範囲】
【請求項１】
デジタル放送を受信する受信手段と、
前記受信手段からの受信信号をデコードしてデジタル放送映像を作成するビデオデコーダと、
前記受信手段からの受信信号に含まれる文字スーパーを解析して前記文字スーパーの詳細情報を含む文字スーパー情報を生成する文字スーパー解析部と、
地図データを記憶する地図データメモリと、
前記文字スーパー解析部からの文字スーパー情報を解析して関連する地域を特定する関連地域解析部と、
前記関連地域解析部で特定された関連する地域の地図データを前記地図データメモリから読み出して文字スーパー関連地図を作成する関連地図作成部と、
前記文字スーパー解析部からの文字スーパー情報に基づき文字スーパー提示画像を作成するグラフィクス作成部と、
前記デジタル放送映像のデータと前記文字スーパーの詳細情報と前記文字スーパー関連地図のデータとに基づき、前記ビデオデコーダで作成されたデジタル放送映像、前記グラフィクス作成部で作成された文字スーパー提示画像および前記関連地図作成部で作成された文字スーパー関連地図を互いに重ならないよう各々の表示サイズおよび表示位置を調整して合成する映像合成部と、
前記映像合成部で合成された映像を表示する表示手段
とを備えたデジタル放送受信機。
【請求項２】
デジタル放送を受信する受信手段と、
前記受信手段からの受信信号に文字スーパーが含まれるか否かを常に監視する文字スーパー監視部と、
前記文字スーパー監視部によって文字スーパーが含まれることが検出された場合に、該文字スーパーを解析して前記文字スーパーの詳細情報を含む文字スーパー情報を生成する文字スーパー解析部と、
前記文字スーパー解析部からの文字スーパー情報を、外部に出力する外部出力部と、
前記外部出力部から出力された文字スーパー情報に基づき文字スーパー提示画像を作成し、該作成した文字スーパー提示画像と、自己の内部で発生した映像とを合成して表示する外部機器とを備え、
前記外部機器は、前記外部出力部から送られてくる文字スーパー情報を解析して関連する地域を検出し、該検出した関連する地域の地図である文字スーパー関連地図を作成し、該作成した文字スーパー関連地図と、前記文字スーパー提示画像と、前記自己の内部で発生した映像とを互いに重ならないように、各々の表示サイズおよび表示位置を決定して合成して表示する
ことを特徴とするデジタル放送受信機。
【請求項３】
外部から外部映像を入力する外部映像入力部を備え、
映像合成部は、ビデオデコーダで作成されたデジタル放送映像、グラフィクス作成部で作成された文字スーパー提示画像、関連地図作成部で作成された文字スーパー関連地図および前記外部映像入力部から入力された外部映像が互いに重ならないように、各々の表示サイズおよび表示位置を調整して合成する
ことを特徴とする請求項１記載のデジタル放送受信機。
【請求項４】
文字スーパー情報に基づき作成された文字スーパー提示画像の文字フォントは表示時に調整される
ことを特徴とする請求項１から請求項３のうちのいずれか１項記載のデジタル放送受信機。
【発明の詳細な説明】
【技術分野】
【０００１】
この発明は、デジタル放送受信機に関し、特に外部に接続されるカーナビゲーション装置などといった外部機器と連携して文字スーパーを表示する技術に関する。
【背景技術】
【０００２】
テレビジョン放送を視聴中に、津波または地震などといった災害情報、その他のニュース速報などが画面に表示されることがある。このような情報は、重要性および緊急性が高いにもかかわらず、テレビジョン放送を視聴中にのみ取得可能な情報であり、それ以外の場合には取得することができないという問題があった。
【０００３】
このような問題を解消する技術として、特許文献１は、ユーザがデジタル放送以外のメディアを視聴中であっても、デジタル放送の文字スーパーを監視して、速報情報をユーザに通知できるデジタル放送受信装置を開示している。
【０００４】
このデジタル放送受信装置は、デジタル放送の文字スーパーを常時監視する文字スーパー監視部、受信した文字スーパーを現在視聴中の映像に重畳して出力可能な映像出力部、文字スーパーを音声により出力可能な音声出力部、文字スーパーをＯＳＤ（オンスクリーンディスプレイ）表示により表示するＯＳＤ出力部を備え、文字スーパー監視部は、デジタル放送以外のメディアを視聴中であっても、デジタル放送の文字スーパーを監視し、デジタル放送で文字スーパーが放送された時に、現在視聴中の映像に重畳してまたはＯＳＤ表示により、あるいは音声によりユーザに通知する。
【先行技術文献】
【特許文献】
【０００５】
【特許文献１】特開２００５−３４１２００号公報
【発明の概要】
【発明が解決しようとする課題】
【０００６】
しかしながら、上述した特許文献１に開示されているデジタル放送受信装置は、例えば現在視聴中の映像がカーナビゲーションシステムの地図である場合に、重畳またはＯＳＤ表示された文字スーパーによって地名やルートを指示する表示が見えにくくなるという問題がある。
【０００７】
この発明は、上述した問題を解消するためになされたものであり、その課題は、視聴中の映像に影響を与えることなく文字スーパーを表示できるデジタル放送受信機を提供することにある。
【課題を解決するための手段】
【０００８】
この発明に係るデジタル放送受信機は、上記課題を解決するために、デジタル放送を受信する受信手段と、受信手段からの受信信号をデコードしてデジタル放送映像を作成するビデオデコーダと、受信手段からの受信信号に含まれる文字スーパーを解析して文字スーパーの詳細情報を含む文字スーパー情報を生成する文字スーパー解析部と、地図データを記憶する地図データメモリと、文字スーパー解析部からの文字スーパー情報を解析して関連する地域を特定する関連地域解析部と、関連地域解析部で特定された関連する地域の地図データを地図データメモリから読み出して文字スーパー関連地図を作成する関連地図作成部と、文字スーパー解析部からの文字スーパー情報に基づき文字スーパー提示画像を作成するグラフィクス作成部と、デジタル放送映像のデータと文字スーパーの詳細情報と文字スーパー関連地図のデータとに基づき、ビデオデコーダで作成されたデジタル放送映像、グラフィクス作成部で作成された文字スーパー提示画像および関連地図作成部で作成された文字スーパー関連地図を互いに重ならないよう各々の表示サイズおよび表示位置を調整して合成する映像合成部と、映像合成部で合成された映像を表示する表示手段とを備えたものである。
または、デジタル放送を受信する受信手段と、受信手段からの受信信号に文字スーパーが含まれるか否かを常に監視する文字スーパー監視部と、文字スーパー監視部によって文字スーパーが含まれることが検出された場合に、該文字スーパーを解析して文字スーパーの詳細情報を含む文字スーパー情報を生成する文字スーパー解析部と、文字スーパー解析部からの文字スーパー情報を、外部に出力する外部出力部と、外部出力部から出力された文字スーパー情報に基づき文字スーパー提示画像を作成し、該作成した文字スーパー提示画像と、自己の内部で発生した映像とを合成して表示する外部機器とを備え、外部機器は、外部出力部から送られてくる文字スーパー情報を解析して関連する地域を検出し、該検出した関連する地域の地図である文字スーパー関連地図を作成し、該作成した文字スーパー関連地図と、文字スーパー提示画像と、自己の内部で発生した映像とを互いに重ならないように、各々の表示サイズおよび表示位置を決定して合成して表示するように構成したものである。
【発明の効果】
【０００９】
この発明に係るデジタル放送受信機によれば、上記のように構成したので、ユーザは、視聴中の映像をデジタル放送に切り替えなくても文字スーパーを表示させることができ、かつ映像の視聴を邪魔されない。
【図面の簡単な説明】
【００１０】
【図１】この発明の実施の形態１に係るデジタル放送受信機の構成を示すブロック図である。
【図２】この発明の実施の形態１に係るデジタル放送受信機を構成するＣＰＵの機能的な構成を示すブロック図である。
【図３】この発明の実施の形態１に係るデジタル放送受信機で生成される文字スーパー情報の一例を示す図である。
【図４】この発明の実施の形態１に係るデジタル放送受信機で作成される文字スーパー提示画像の一例を示す図である。
【図５】この発明の実施の形態１に係るデジタル放送受信機において作成されるデジタル放送映像の例を示す図である。
【図６】この発明の実施の形態１に係るデジタル放送受信機において作成されるカーナビゲーション映像（地図）の例を示す図である。
【図７】この発明の実施の形態１に係るデジタル放送受信機でモニタに表示される画像の例を示す図である。
【図８】この発明の実施の形態２に係るデジタル放送受信機の構成を示すブロック図である。
【図９】この発明の実施の形態２に係るデジタル放送受信機を構成するＣＰＵの機能的な構成を示すブロック図である。
【図１０】この発明の実施の形態２に係るデジタル放送受信機において作成される文字スーパー関連地図の一例を示す図である。
【図１１】この発明の実施の形態２に係るデジタル放送受信機でモニタに表示される画像の例を示す図である。
【図１２】この発明の実施の形態３に係るデジタル放送受信機の構成を示すブロック図である。
【図１３】この発明の実施の形態３に係るデジタル放送受信機を構成するＣＰＵの機能的な構成を示すブロック図である。
【図１４】この発明の実施の形態３の第２の変形例に係るデジタル放送受信機でモニタに表示される画像の例を示す図である。
【発明を実施するための形態】
【００１１】
以下、この発明をより詳細に説明するために、この発明を実施するための形態について、添付の図面に従って説明する。
実施の形態１．
図１は、この発明の実施の形態１に係るデジタル放送受信機１００の構成を示すブロック図である。このデジタル放送受信機１００には、カーナビゲーションシステム５００が接続されている。なお、この発明のデジタル放送受信機は、カーナビゲーションシステム５００を含む概念である。
【００１２】
カーナビゲーションシステム５００は、この発明の外部機器に対応し、自己の内部で発生した地図または各種画像などを表示するためのカーナビゲーション映像データおよび音声を出力するためのカーナビゲーション音声データをデジタル放送受信機１００に送る。カーナビゲーション映像データに基づき作成されるカーナビゲーション映像は、この発明の外部映像に対応する。
【００１３】
デジタル放送受信機１００は、デジタル放送を受信して映像および音声を再生する。このデジタル放送受信機１００は、アンテナ１、チューナ２、ＯＦＤＭ（Orthogonal Frequency Division Multiplexing）復調部３、デマルチプレクサ４、オーディオデコーダ５、外部音声入力部６、音声切替部７、音声制御部８、スピーカ９、ビデオデコーダ１０、外部映像入力部１１、ＧＵＩ（Graphical User Interface）部１２、映像合成部１３、映像制御部１４、モニタ１５、メモリ１６、ＣＰＵ１７およびバス２０を備えている。
【００１４】
これらの構成要素のうち、チューナ２、ＯＦＤＭ復調部３、デマルチプレクサ４、オーディオデコーダ５、外部音声入力部６、音声切替部７、音声制御部８、ビデオデコーダ１０、外部映像入力部１１、ＧＵＩ部１２、映像合成部１３、映像制御部１４およびメモリ１６は、バス２０によってＣＰＵ１７に接続されており、このＣＰＵ１７の制御の下に動作する。バス２０は、各構成要素間で、制御信号およびデータを送受する。
【００１５】
アンテナ１は、デジタル放送の電波を受信して電気信号に変換し、チューナ２に送る。チューナ２は、アンテナ１から送られてくる信号の中から、ＣＰＵ１７によって指示される選局対象のチャンネルの周波数成分を抽出し、ＯＦＤＭ復調部３に送る。ＯＦＤＭ復調部３は、チューナ２から送られてくる信号をＯＦＤＭ復調した後にデジタル信号に変換し、トランスポートストリームとしてデマルチプレクサ４に送る。
【００１６】
デマルチプレクサ４は、ＯＦＤＭ復調部３から送られてくるトランスポートストリームを、オーディオストリーム、ビデオストリームおよびカルーセルに分離し、受信信号として、それぞれオーディオデコーダ５、ビデオデコーダ１０およびＣＰＵ１７に送る。この発明の受信手段は、アンテナ１、チューナ２、ＯＦＤＭ復調部３およびデマルチプレクサ４から構成されている。
【００１７】
オーディオデコーダ５は、デマルチプレクサ４から送られてくるオーディオストリームをデコードし、デジタル放送音声データとして音声切替部７に送る。外部音声入力部６は、カーナビゲーションシステム５００から送られてくるカーナビゲーション音声データを入力し、音声切替部７に送る。
【００１８】
音声切替部７は、オーディオデコーダ５から送られてくるデジタル放送音声データまたは外部音声入力部６から送られてくるカーナビゲーション音声データのいずれかを選択し、出力音声データとして音声制御部８に送る。音声制御部８は、音声切替部７から送られてくる出力音声データを、アナログの音声信号に変換し、スピーカ９に送る。スピーカ９は、音声制御部８から送られてくる音声信号に応じた音声を発生する。
【００１９】
ビデオデコーダ１０は、デマルチプレクサ４から送られてくるビデオストリームをデコードし、デジタル放送映像データとして映像合成部１３に送る。図５は、デジタル放送映像データに基づき作成されたデジタル放送映像の例を示す図である。
【００２０】
外部映像入力部１１は、カーナビゲーションシステム５００から送られてくるカーナビゲーション映像データを入力し、映像合成部１３に送る。図６は、カーナビゲーション映像データに基づき作成されたカーナビゲーション映像（地図）の例を示す図である。
【００２１】
ＧＵＩ部１２は、メニュー画面を作成する。このＧＵＩ部１２で作成されたメニュー画面を表すメニュー画面データは、映像合成部１３に送られる。また、ＧＵＩ部１２は、ユーザによって操作されたリモコン（図示しない）からの信号を入力し、ＣＰＵ１７に送る。ＣＰＵ１７は、このＧＵＩ部１２からの信号にしたがって、ユーザの操作に応じた各種処理を実行する。
【００２２】
映像合成部１３は、ＣＰＵ１７から送られてくるレイアウト情報（詳細は後述する）にしたがって、ビデオデコーダ１０から送られてくるデジタル放送映像データ、外部映像入力部１１から送られてくるカーナビゲーション映像データ、ＧＵＩ部１２から送られてくるメニュー画面データおよびＣＰＵ１７から送られてくる文字スーパー提示画像データ（詳細は後述する）を合成し、出力映像データとして映像制御部１４に送る。
【００２３】
映像制御部１４は、映像合成部１３から送られてくる出力映像データを、アナログの映像信号に変換し、モニタ１５に送る。モニタ１５は、例えばＬＣＤ（Liquid Crystal Display）から構成されており、映像制御部１４から送られてくる映像信号に応じた映像を表示する。この発明の表示手段は、映像制御部１４とモニタ１５とから構成されている。
【００２４】
メモリ１６は、主にＣＰＵ１７の作業用メモリとして使用され、各種データが一時的に記憶される。ＣＰＵ１７は、上述したように、ＧＵＩ部１２からの信号を解釈して、チューナ２、ＯＦＤＭ復調部３、デマルチプレクサ４、オーディオデコーダ５、外部音声入力部６、音声切替部７、音声制御部８、ビデオデコーダ１０、外部映像入力部１１、ＧＵＩ部１２、映像合成部１３、映像制御部１４およびメモリ１６を制御することにより、デジタル放送受信機１００の全体の動作を制御する。
【００２５】
次に、ＣＰＵ１７の詳細を説明する。図２は、ＣＰＵ１７の機能的な構成を示すブロック図であり、本発明に係る部分のみを示している。このＣＰＵ１７は、プログラムにより構成された文字スーパー監視部２１、文字スーパー解析部２２、グラフィクス作成部２３および映像レイアウト部２４を備えている。
【００２６】
文字スーパー監視部２１は、デマルチプレクサ４から送られてくるカルーセルを入力し、該カルーセルに文字スーパーが含まれているか否か、つまり文字スーパーが受信されたか否かを、常に（デジタル放送視聴中以外であっても）監視する。そして、文字スーパーが含まれていることを検出すると、その文字スーパーを含むカルーセルを文字スーパー解析部２２に送る。
【００２７】
文字スーパー解析部２２は、文字スーパー監視部２１から送られてくるカルーセルに含まれる文字スーパーの解析および抽出を行い、文字スーパーの内容と画像の詳細情報を含む文字スーパー情報を生成する。図３は、文字スーパー情報の一例を示す。この文字スーパー情報は、「受信日時」、「分類」、「内容」、「画像プロパティ」および「画像の有無」から構成されている。この文字スーパー解析部２２で生成された文字スーパー情報は、グラフィクス作成部２３および映像レイアウト部２４に送られる。
【００２８】
グラフィクス作成部２３は、文字スーパー解析部２２から送られてくる文字スーパー情報と、映像レイアウト部２４から送られてくるレイアウト情報（詳細は後述）とから、文字スーパーとして表示するための文字スーパー提示画像を作成する。図４は、図３に示す文字スーパー情報の中のＮｏ．１の情報に基づき作成された文字スーパー提示画像の一例を示す。このグラフィクス作成部２３で作成された文字スーパー提示画像を表す文字スーパー提示画像データは、映像合成部１３に送られる。
【００２９】
映像レイアウト部２４は、モニタ１５のサイズ、文字スーパー解析部２２から送られてくる文字スーパー情報および外部映像入力部１１から送られてくるカーナビゲーション映像データに基づき、文字スーパー提示画像とカーナビゲーション映像とが重ならないように、文字スーパー提示画像の表示サイズおよび表示位置と、カーナビゲーション映像の表示サイズおよび表示位置を決定し、レイアウト情報として出力する。この映像レイアウト部２４から出力されるレイアウト情報は、グラフィクス作成部２３および映像合成部１３に送られる。
【００３０】
次に、上記のように構成される、この発明の実施の形態１に係るデジタル放送受信機１００において、デジタル放送の視聴時に文字スーパーが受信された場合の動作を説明する。
【００３１】
アンテナ１で受信されたデジタル放送の電波は、電気信号に変換され、チューナ２に送られる。チューナ２は、アンテナ１から送られてくる信号の中から、ＣＰＵ１７によって指示される選局対象のチャンネルの周波数成分を抽出し、ＯＦＤＭ復調部３に送る。ＯＦＤＭ復調部３は、チューナ２から送られてくる信号をＯＦＤＭ復調した後にデジタル信号に変換し、トランスポートストリームとしてデマルチプレクサ４に送る。デマルチプレクサ４は、ＯＦＤＭ復調部３から送られてくるトランスポートストリームを、オーディオストリーム、ビデオストリームおよびカルーセルに分離し、それぞれオーディオデコーダ５、ビデオデコーダ１０およびＣＰＵ１７に送る。
【００３２】
デマルチプレクサ４で分離されたカルーセルは、ＣＰＵ１７の文字スーパー監視部２１に送られる。文字スーパー監視部２１は、文字スーパーの受信の有無を常に監視しており、文字スーパーの受信を検出すると、その文字スーパーを含むカルーセルを文字スーパー解析部２２に送る。文字スーパー解析部２２は、文字スーパー監視部２１から受け取ったカルーセルに含まれる文字スーパーの解析および抽出を行い、文字スーパー情報を生成する。この文字スーパー解析部２２で生成された文字スーパー情報は、グラフィクス作成部２３へ送られる。
【００３３】
グラフィクス作成部２３は、文字スーパー解析部２２から送られてくる文字スーパー情報から文字スーパー提示画像を作成し、文字スーパー提示画像データとして映像合成部１３へ送る。映像合成部１３は、グラフィクス作成部２３から送られてくる文字スーパー提示画像データとビデオデコーダ１０から送られてくるデジタル放送映像データとを合成する。この映像合成部１３で合成することにより得られた出力映像データは、映像制御部１４に送られる。映像制御部１４は、映像合成部１３から送られてくる出力映像データを、アナログの映像信号に変換し、モニタ１５に送る。モニタ１５は、映像制御部１４から送られてくる映像信号に応じた映像を表示する。
【００３４】
なお、文字スーパー監視部２１で作成された文字スーパー情報をメモリ１６に蓄積しておき、後に、必要に応じて文字スーパーの履歴として参照するように構成することもできる。
【００３５】
次に、実施の形態１に係るデジタル放送受信機１００において、カーナビゲーションシステム５００からのカーナビゲーション映像およびカーナビゲーション音声を視聴時に文字スーパーが受信された場合の動作を説明する。この場合、モニタ１５にはカーナビゲーション映像が表示されていても、バックグラウンドでデジタル放送の受信、多重分離および復号などの処理が並行して実行されている。
【００３６】
デジタル放送をアンテナ１で受信してデマルチプレクサ４でオーディオストリーム、ビデオストリームおよびカルーセルに分離し、それぞれオーディオデコーダ５、ビデオデコーダ１０およびＣＰＵ１７に送る動作は、上述したデジタル放送の視聴時に文字スーパーが受信された場合の動作と同じである。
【００３７】
デマルチプレクサ４で分離されたカルーセルは、ＣＰＵ１７の文字スーパー監視部２１に送られる。文字スーパー監視部２１は、文字スーパーの受信の有無を常に監視しており、文字スーパーの受信を検出すると、その文字スーパーを含むカルーセルを文字スーパー解析部２２に送る。文字スーパー解析部２２は、文字スーパー監視部２１から受け取ったカルーセルに含まれる文字スーパーの解析および抽出を行い、文字スーパー情報を生成する。この文字スーパー解析部で生成された文字スーパー情報は、映像レイアウト部２４へ送られる。
【００３８】
映像レイアウト部２４は、文字スーパー提示画像とカーナビゲーション映像とが重ならないように、文字スーパー提示画像の表示サイズおよび表示位置と、カーナビゲーション映像の表示サイズおよび表示位置を決定し、レイアウト情報としてグラフィクス作成部２３および映像合成部１３に送る。
【００３９】
グラフィクス作成部２３は、映像レイアウト部２４から送られてくるレイアウト情報によって示される表示サイズにしたがって、文字スーパー解析部２２から送られてくる文字スーパー情報から文字スーパー提示画像を作成して映像合成部１３へ送る。映像合成部１３は、映像レイアウト部２４から送られてくるレイアウト情報によって示される表示サイズおよび表示位置となるように、グラフィクス作成部２３から送られてくる文字スーパー提示画像とビデオデコーダ１０から送られてくるデジタル放送映像とを合成する。この映像合成部で合成された出力映像データは、映像制御部１４に送られる。
【００４０】
以後の動作は、上述したデジタル放送の視聴時に文字スーパーが受信された場合の動作と同じである。図７は、上述した処理により、モニタ１５に表示される画像の一例を示す図であり、カーナビゲーション映像が縦方向に縮小され、その下側に、文字スーパー提示画像が重複しないように配置されて表示されている。
【００４１】
以上説明したように、この発明の実施の形態１に係るデジタル放送受信機１００によれば、デジタル放送以外の映像、すなわち、カーナビゲーション映像がモニタ１５に表示されている時に受信した文字スーパーを、カーナビゲーション映像に合成して表示するように構成したので、ユーザは、デジタル放送以外を視聴している時であっても文字スーパーの情報を取得することができる。
【００４２】
なお、カーナビゲーション映像の出力時は、音声切替部７は、カーナビゲーションシステム５００から外部音声入力部６を介して送られてくるカーナビゲーション音声データを選択するように切り替えられていることが好ましい。
【００４３】
実施の形態２．
図８は、この発明の実施の形態２に係るデジタル放送受信機２００の構成を示すブロック図である。このデジタル放送受信機２００は、実施の形態１に係るデジタル放送受信機１００から外部音声入力部６、音声切替部７および外部映像入力部１１が除去され、オーディオデコーダ５の出力は、音声制御部８に直接に送られるように変更されるとともに、地図データメモリ１８が追加されて構成されている。
【００４４】
この実施の形態２に係るデジタル放送受信機２００において、映像合成部１３は、ビデオデコーダ１０から送られてくるデジタル放送映像、ＧＵＩ部１２から送られてくるメニュー画面、ＣＰＵ１７から送られてくる文字スーパー提示画像およびＣＰＵ１７から送られてくる文字スーパー関連地図（詳細は後述する）を合成して出力映像データを生成し、映像制御部１４に送る。
【００４５】
この場合、実施の形態１に係るデジタル放送受信機１００のＣＰＵ１７に含まれる映像レイアウト部２４と同様の機能を導入することにより、映像合成部１３は、ビデオデコーダ１０で作成されたデジタル放送映像、グラフィクス作成部２３で作成された文字スーパー提示画像および関連地図作成部２６で作成された文字スーパー関連地図が互いに重ならないように、各々の表示サイズおよび表示位置を調整して合成するように構成することができる。この構成によれば、互いの表示が邪魔にならないように各画像を配置することが可能になる。
【００４６】
地図データメモリ１８は、地図データを記憶している。この地図データメモリ１８に記憶されている地図データは、関連地図作成部２６によって読み出される。
【００４７】
次に、ＣＰＵ１７の詳細を説明する。図９は、ＣＰＵ１７の機能的な構成を示すブロック図であり、本発明に係る部分のみを示している。このＣＰＵ１７は、文字スーパー解析部２２、グラフィクス作成部２３、関連地域解析部２５、関連地図作成部２６を備えている。
【００４８】
文字スーパー解析部２２は、デマルチプレクサ４から送られてくるカルーセルに含まれる文字スーパーの解析および抽出を行い、例えば図３に示すような文字スーパー情報を生成する。この文字スーパー解析部２２で生成された文字スーパー情報は、グラフィクス作成部２３および関連地域解析部２５に送られる。
【００４９】
グラフィクス作成部２３は、文字スーパー解析部２２から送られてくる文字スーパー情報から、例えば図４に示すような文字スーパー提示画像を作成する。このグラフィクス作成部２３で作成された文字スーパー提示画像を表す文字スーパー提示画像データは、映像合成部１３に送られる。
【００５０】
関連地域解析部２５は、文字スーパー解析部２２から送られてくる文字スーパー情報を解析し、例えば文字スーパー情報に含まれる地名などから、文字スーパーの内容に関連する地域を特定する。この関連地域解析部２５で特定された地域を表すデータは、関連地図作成部２６に送られる。
【００５１】
関連地図作成部２６は、関連地域解析部２５から送られてくる地域を表すデータに対応する地図データを地図データメモリ１８から読み出し、文字スーパー情報と関連する文字スーパー関連地図を作成する。
図１０は、文字スーパー関連地図の一例を示しており、文字スーパー
「○○自動車道路（上り）」に対応する道路が強調表示されて示されている。この関連地図作成部２６で作成された文字スーパー関連地図を表すデータは、映像合成部１３に送られる。
【００５２】
次に、上記のように構成される、この発明の実施の形態２に係るデジタル放送受信機２００の動作を、デジタル放送の視聴時に文字スーパーが受信された場合の動作を中心に説明する。
【００５３】
アンテナ１で受信されたデジタル放送の電波は、電気信号に変換され、チューナ２に送られる。チューナ２は、アンテナ１から送られてくる信号の中から、ＣＰＵ１７によって指示される選局対象のチャンネルの周波数成分を抽出し、ＯＦＤＭ復調部３に送る。ＯＦＤＭ復調部３は、チューナ２から送られてくる信号をＯＦＤＭ復調した後にデジタル信号に変換し、トランスポートストリームとしてデマルチプレクサ４に送る。デマルチプレクサ４は、ＯＦＤＭ復調部３から送られてくるトランスポートストリームを、オーディオストリーム、ビデオストリームおよびカルーセルに分離し、それぞれオーディオデコーダ５、ビデオデコーダ１０およびＣＰＵ１７に送る。
【００５４】
デマルチプレクサ４で分離されたカルーセルは、ＣＰＵ１７の文字スーパー解析部２２に送られる。文字スーパー解析部２２は、デマルチプレクサ４から受け取ったカルーセルに含まれる文字スーパーの解析および抽出を行い、文字スーパー情報を生成する。この文字スーパー解析部２２で生成された文字スーパー情報は、グラフィクス作成部２３および関連地域解析部２５に送られる。
【００５５】
グラフィクス作成部２３は、文字スーパー解析部２２から送られてくる文字スーパー情報から文字スーパー提示画像を作成し、文字スーパー提示画像データとして映像合成部１３に送る。
【００５６】
関連地域解析部２５は、文字スーパー解析部２２から送られてくる文字スーパー情報を解析して文字スーパーの内容に関連する地域を特定し、この特定した地域を表すデータを関連地図作成部２６に送る。関連地図作成部２６は、関連地域解析部２５から送られてくる地域を表すデータに対応する地図データを地図データメモリ１８から読み出し、文字スーパー情報と関連する文字スーパー関連地図を作成する。この関連地図作成部２６で作成された文字スーパー関連地図を表すデータは、映像合成部１３に送られる。
【００５７】
映像合成部１３は、ビデオデコーダ１０から送られてくるデジタル放送映像、ＧＵＩ部１２から送られてくるメニュー画面、グラフィクス作成部２３から送られてくる文字スーパー提示画像および関連地図作成部２６から送られてくる文字スーパー関連地図を、モニタ１５の画面内に収まるように合成して出力映像データを生成し、映像制御部１４に送る。映像制御部１４は、映像合成部１３から送られてくる出力映像データを、アナログの映像信号に変換し、モニタ１５に送る。モニタ１５は、映像制御部１４から送られてくる映像信号に応じた映像を表示する。
【００５８】
図１１は、上述した処理により、モニタ１５に表示される画像の一例を示す図であり、データ放送映像が縦および横方向に縮小され、その下側に、文字スーパー提示画像と文字スーパー関連地図が重複しないように配置されて表示されている。
【００５９】
以上説明したように、この発明の実施の形態２に係るデジタル放送受信機２００によれば、受信した文字スーパーの情報をデジタル放送映像と同時に表示することができるとともに、文字スーパーの情報と関連する地域を、ユーザに、よりわかりやすく伝えることができる。
【００６０】
なお、映像合成部１３は、文字スーパーに画像が含まれている場合は、文字スーパー関連地図を除いて合成するように構成することもできる。
【００６１】
また、第１の変形例に係るデジタル放送受信機は、上述した実施の形態２に係るデジタル放送受信機に、実施の形態１に係るデジタル放送受信機１００と同様の外部映像入力部１１を備え、さらに、実施の形態１に係るデジタル放送受信機１００のＣＰＵ１７に含まれる映像レイアウト部２４と同様の機能を導入することにより、文字スーパー解析部２２は、文字スーパーを解析して文字スーパー情報を生成し、映像合成部１３は、ビデオデコーダ１０で作成されたデジタル放送映像、グラフィクス作成部２３で作成された文字スーパー提示画像、関連地図作成部２６で作成された文字スーパー関連地図から入力されたカーナビゲーション映像が互いに重ならないように、各々の表示サイズおよび表示位置を調整して合成するように構成できる。この構成によれば、デジタル放送視聴中以外であっても文字スーパーを取得することが可能になる。
【００６２】
実施の形態３．
図１２は、この発明の実施の形態３に係るデジタル放送受信機３００の構成を示すブロック図である。このデジタル放送受信機３００は、実施の形態２に係るデジタル放送受信機２００からスピーカ９、モニタ１５および地図データメモリ１８が除去されるとともに、外部出力部１９が追加されて構成されている。
【００６３】
このデジタル放送受信機３００においては、音声制御部８から出力される音声信号、映像制御部１４から出力される映像信号およびＣＰＵ１７から出力される文字スーパー情報は、外部出力部１９に送られ、外部出力部１９は、これら音声信号、映像信号および文字スーパー情報をカーナビゲーションシステム５００に送る。
【００６４】
カーナビゲーションシステム５００には、スピーカ５０１およびモニタ５０２が接続されており、デジタル放送受信機３００の外部出力部１９から送られてきた音声信号および映像信号をスピーカ５０１およびモニタ５０２にそれぞれ送るか、自己の内部で発生したカーナビゲーション音声およびカーナビゲーション映像をスピーカ５０１およびモニタ５０２にそれぞれ送るかを切り替えることができるようになっている。
【００６５】
さらに、カーナビゲーションシステム５００は、デジタル放送受信機３００の外部出力部１９から送られてきた文字スーパー情報に基づき文字スーパー提示画像を作成し、この文字スーパー提示画像と、自己の内部で発生したカーナビゲーション映像を合成してモニタ５０２に送ることができるように構成されている。
【００６６】
次に、ＣＰＵ１７の詳細を説明する。図１３は、ＣＰＵ１７の機能的な構成を示すブロック図であり、本発明に係る部分のみを示している。このＣＰＵ１７は、文字スーパー監視部２１、文字スーパー解析部２２およびグラフィクス作成部２３を備えている。
【００６７】
文字スーパー監視部２１は、デマルチプレクサ４から送られてくるカルーセルを入力し、該カルーセルに文字スーパーが含まれているか否か、つまり文字スーパーが受信されたか否かを、常に（デジタル放送視聴中以外であっても）監視する。そして、文字スーパーが含まれていることを検出すると、その文字スーパーを含むカルーセルを文字スーパー解析部２２に送る。
【００６８】
文字スーパー解析部２２は、文字スーパー監視部２１から送られてくるカルーセルに含まれる文字スーパーの解析および抽出を行い、例えば図３に示すような文字スーパー情報を生成する。この文字スーパー解析部２２で生成された文字スーパー情報は、グラフィクス作成部２３および外部出力部１９に送られる。なお、文字スーパー提示画像がカーナビゲーションシステム５００で作成される場合は、文字スーパー解析部２２で作成された文字スーパー情報は、グラフィクス作成部２３に送られない。
【００６９】
グラフィクス作成部２３は、文字スーパー解析部２２から送られてくる文字スーパー情報から、例えば図４に示すような文字スーパー提示画像を作成する。このグラフィクス作成部２３で作成された文字スーパー提示画像を表す文字スーパー提示画像データは、映像合成部１３に送られる。
【００７０】
次に、上記のように構成される、この発明の実施の形態３に係るデジタル放送受信機３００の動作を説明する。このデジタル放送受信機３００の動作のうち、デジタル放送の視聴時に文字スーパーが受信された場合の動作は、音声および映像がカーナビゲーションシステム５００に接続されたスピーカ５０１およびモニタ５０２から出力されることを除けば、実施の形態１に係るデジタル放送受信機１００の動作と同じである。
【００７１】
次に、実施の形態３に係るデジタル放送受信機１００において、カーナビゲーションシステム５００で生成されたカーナビゲーション映像およびカーナビゲーション音声を視聴時に文字スーパーが受信された場合の動作を説明する。この場合、モニタ１５にはカーナビゲーション映像が表示されていても、バックグラウンドでデジタル放送の受信、多重分離および復号などの処理が並行して実行されている。
【００７２】
デジタル放送をアンテナ１で受信してデマルチプレクサ４でオーディオストリーム、ビデオストリームおよびカルーセルに分離し、それぞれオーディオデコーダ５、ビデオデコーダ１０およびＣＰＵ１７に送る動作は、上述した実施の形態１に係るデジタル放送受信機１００における、デジタル放送の視聴時に文字スーパーが受信された場合の動作と同じである。
【００７３】
デマルチプレクサ４で分離されたカルーセルは、ＣＰＵ１７の文字スーパー監視部２１に送られる。文字スーパー監視部２１は、文字スーパーの受信の有無を常に監視しており、文字スーパーの受信を検出すると、その文字スーパーを含むカルーセルを文字スーパー解析部２２に送る。文字スーパー解析部２２は、文字スーパー監視部２１から受け取ったカルーセルに含まれる文字スーパーの解析および抽出を行い、文字スーパー情報を生成する。この文字スーパー解析部２２で生成された文字スーパー情報は、外部出力部１９に送られる。
【００７４】
外部出力部１９は、文字スーパー解析部２２で生成された文字スーパー情報をカーナビゲーションシステム５００に送る。カーナビゲーションシステム５００は、外部出力部１９から送られてきた文字スーパー情報から、表示すべき文字スーパーの内容（テキスト）を取得し、文字スーパー提示画像を作成する。そして、この作成した文字スーパー提示画像と、自己の内部で発生したカーナビゲーション映像とを合成してモニタ５０２に送る。これにより、モニタ５０２に、自己の内部で発生したカーナビゲーション映像、例えば地図と文字スーパーとから成る画像が表示される。
【００７５】
以上説明したように、この発明の実施の形態３に係るデジタル放送受信機３００によれば、カーナビゲーションシステム５００に文字スーパー情報を送るように構成したので、カーナビゲーションシステム５００で文字スーパー提示画像を表示させることができる。また、カーナビゲーション映像と文字スーパー提示画像とを合成して表示するように構成したので、ユーザは、画面を切り替えることなく文字スーパーの情報を取得することができる。
【００７６】
次に、上述した実施の形態３に係るデジタル放送受信機３００の変形例を説明する。第１の変形例に係るデジタル放送受信機においては、カーナビゲーションシステム５００は、実施の形態２に係るデジタル放送受信機２００と同様に、外部出力部１９から送られてくる文字スーパー情報から、例えば〇〇自動車道路、××ＩＣ、〇〇ＩＣといった地名を検出して関連する地域を特定し、この特定した関連する地域の地図データを自己の内部に保有している地図データメモリ（図示しない）から読み出して文字スーパー関連地図を作成する。
【００７７】
また、カーナビゲーションシステム５００は、外部出力部１９から送られてくる文字スーパー情報に基づき文字スーパー提示画像を作成する。そして、これら文字スーパー関連地図と文字スーパー提示画像とを合成してモニタ５０２に表示するように構成されている。この第１の変形例に係るデジタル放送受信機によれば、文字スーパーの情報と関連する地域をユーザにわかりやすく伝えることができる。
【００７８】
第２の変形例に係るデジタル放送受信機は、カーナビゲーションシステム５００において、実施の形態１に係るデジタル放送受信機１００のＣＰＵ１７に含まれる映像レイアウト部２４と同様の機能を導入し、外部出力部１９から送られてくる文字スーパー情報に基づき作成した文字スーパー提示画像と、自己の内部で発生したカーナビゲーション映像とが互いに重ならないように、各々の表示サイズおよび表示位置を調整して合成してモニタ５０２に表示する。図１４は、第２の変形例に係るデジタル放送受信機によってモニタ１５に表示される画像の一例を示す図であり、カーナビゲーション映像が縦および横方向に縮小され、その下側に、文字スーパー提示画像および文字スーパー関連地図が重複しないように配置されて表示されている。この構成によれば、表示の見落としを防ぐことができる。
【００７９】
第３の変形例に係るデジタル放送受信機は、カーナビゲーションシステム５００において、実施の形態１に係るデジタル放送受信機１００のＣＰＵ１７に含まれる映像レイアウト部２４と同様の機能を導入し、外部出力部１９から送られてくる文字スーパー情報を解析して関連する地域を検出し、この検出した関連する地域の文字スーパー関連地図を作成し、この作成した文字スーパー関連地図と、外部出力部１９から送られてくる文字スーパー情報に基づき作成した文字スーパー提示画像とが互いに重ならないように、各々の表示サイズおよび表示位置を決定して合成してモニタ５０２に表示するようにしたものである。この構成によれば、表示の見落としを防ぐことができる。
【００８０】
なお、上述した実施の形態１〜実施の形態３およびこれらの変形例に係るデジタル放送受信機において、モニタ１５またはモニタ５０２は、文字スーパー情報に基づき作成された文字スーパー提示画像の文字フォントを適宜調整して表示するように構成することができる。この構成によれば、モニタ１５に表示された文字スーパーの読みやすさを向上させることができる。
【００８１】
以上のように、この発明に係るデジタル放送受信機は、外部映像を表示している際に、バックグラウンドでデジタル放送を受信することにより得られた受信信号から文字スーパー情報を取得して文字スーパー提示画像を作成し、外部映像と文字スーパー提示画像が重ならないように合成して表示するように構成したことで、視聴中の映像をデジタル放送に切り替えなくても文字スーパーを表示させることができるので、カーナビゲーション装置などに用いるのに適している。
【図１】
0005345224.tif 000002
【図２】
0005345224.tif 000003
【図３】
0005345224.tif 000004
【図４】
0005345224.tif 000005
【図５】
0005345224.tif 000006
【図６】
0005345224.tif 000007
【図７】
0005345224.tif 000008
【図８】
0005345224.tif 000009
【図９】
0005345224.tif 000010
【図１０】
0005345224.tif 000011
【図１１】
0005345224.tif 000012
【図１２】
0005345224.tif 000013
【図１３】
0005345224.tif 000014
【図１４】
0005345224.tif 000015